(57)【要約】      （修正有）【課題】工場等建屋の屋内温度低下を回避し、屋内の作業環境確保と省エネルギー確保を図る。【解決手段】筒状のケーシング１の吸込口１００に設けた羽根車５と、ケーシングの吹出口１０１に設けた整流扇３とを備えた送風機Ａを、車輌が出入り用の工場出入口の上梁に複数基設け、各送風機は、それぞれ独立する形態を確保し、かつ隣接する各送風機間に隙間を有し、各送風機は、上梁の奥行き方向に、一列、又は複数列設け、出入口に、１ｍ〜２ｍの風の壁を形成する送風機を利用した建屋の出入口の空気遮断装置。出入口から侵入する外気に対峙できる奥行きの風域（風の壁）確保で、寒風等の空気対策となる。【選択図】図１
2018096573.tif 000002
【特許請求の範囲】
【請求項１】
車輌が出入りする工場、作業場でなる建屋の出入口に、吸込口と、吹出口とを備えたケーシング、及び前記吸込口の開口に設けた羽根車、及び前記吹出口の開口に設けた整流扇、並びに前記羽根車可動用のモータを備えた内外空気遮断用の送風機を複数基設け、
前記出入口の奥行方向に、１ｍ〜２ｍの風の壁を形成するために、前記複数基の送風機を、一群とし、前記出入口の上梁、支持体、構造物に一列に設けるか、又は、前記奥行方向に、前記一群の複数基の送風機を二列に設けるかの構成であって、
かつ前記一群の複数基の送風機は、それぞれ独立した形態を確保し、かつ前記一群の送風機からの吹き下ろし風は、前記風の壁を形成することを特徴とする建屋の出入口の空気遮断装置。
【請求項２】
前記複数列設ける送風機は、少なくとも、二列に設け、前記複数基の送風機の吹き下ろし風を、二列に吹き下ろす請求項１に記載の建屋の出入口の空気遮断装置。
【請求項３】
前記ケーシングの内周面に吸音材を付設する請求項１に記載の建屋の出入口の空気遮断装置。
【請求項４】
前記ケーシングの内周面と前記吸音材との間に空気層を形成した請求項３に記載の建屋の出入口の空気遮断装置。
【請求項５】
前記吸込口の開口に設けた羽根車と、前記ケーシングの吹出口の開口に設けた整流扇は、それぞれ開口の直近に設ける請求項１に記載の建屋の出入口の空気遮断装置。
【請求項６】
前記複数基の各送風機は、それぞれ独立する形態を確保し、かつ隣接する前記各送風機の前記ケーシング間に隙間を有する請求項１に記載の建屋の出入口の空気遮断装置。
【請求項７】
前記隙間は、４ｃｍ〜８ｃｍとする請求項６に記載の建屋の出入口の空気遮断装置。
【発明の詳細な説明】
【技術分野】
【０００１】
本発明は、建屋の出入口の空気（屋内外空気）遮断装置であり、主として、建屋（工場）の出入口を車輌（フォークリフト、台車等）が出入する際に、建屋外（屋外「場外」）の熱風・寒風（以下、原則として、寒風とする）が、建屋内（屋内「場内」）に侵入する度合いを少なくする（内外空気の入れ替わり回避）、屋内温度低下回避（空調の合理化）に関する。
【背景技術】
【０００２】
屋内温度低下を回避し、屋内の作業環境確保と省エネルギー確保を図ることが要求されている。そのための手段として、従来のシャッター、開閉扉等の物理的な手段に対して、エアーによる簡易、かつ動的な手段が、建屋において、試作、及び／又は、実施が行われている。そして、このエアーによる簡易、かつ動的な手段、例えば、エアーカーテンが、最適であるとの市場の要望がある。
【０００３】
尚、図１１は、従来のエアーカーテン方式を示しており、ノズルを備え送風装置により、風を吹き下ろす方式であるが、外気の吹込みにより、カーテン膜が崩れて、冷たい空気が屋内に侵入する虞があった。併せて、内気の暖かい空気が、誘引される虞があった。従って、この方式では、十分な閉塞が確保されないのが現況である。
【０００４】
このエアーカーテンを建屋の出入口（出入口とする）で実施するには、送風機が必要となる。そして、この送風機に要求される能力（機能、又は特徴）は、風速か、又は風域（風の壁であり、建屋の妻面等の奥行き方向の幅）と考えられている。この中で、風速に関しては、送風機の能力、及び／又は、車輌、及び人との関係等で、効果が上がっていない現実が実証されていないことと、その改良が望まれている。一方、風域に関しては、複数基の送風機の設置と、その配置、及び／又は、騒音等に関して、十分な効果が上がっていないのが現況である。
【０００５】
以上のような現況を踏まえて、従来技術と先行文献とに関して検証する。複数基の送風機を設置した状況では、吹き下ろす風の壁（風域）を形成することが要求される。
【０００６】
本発明が意図する、送風機で生成される風域に関して、出入口の奥行方向（屋内外の方向で、棟方向とする）に、幅広の風域（エアー膜）を形成するエアーカーテンとして、特開２０１６−１１４２５５号公報（文献（１）とする）に記載の「空気流通遮断システム」があり、第１エアーカーテンと、第２エアーカーテンとを生成し、第１エアーカーテンと、第２エアーカーテンとの間に風除空間を形成する構造である。しかし、この発明は、風除空間を形成することで、結果的に、風域のエリアが広くなり、屋内における活用エリアを狭められる虞が有る。また、風除空間に溜まった外気が、屋内に紛れ込む（誘引でない風の流れ）ことが考えられる。
【０００７】
さらに、出入口の幅方向（妻面方向）において、複数基の送風機を配備し、出入口の幅全体を閉塞するエアーカーテン生成装置として、特開２００１−８２３９６号公報（文献（２）とする）に記載の「送風機、送風システム、送風システムの送風方法」があり、構造物の幅方向に、複数基の送風機（空気力学・騒音特性を向上させたプロペラ羽根車を応用する）、及び／又は、吸込口を列並するとともに、吹出口のノズルから、風圧と風速を増幅した風を送風する構造である。しかし、奥行方向（棟方向）に、風域（エアー膜）がなく、出入口から侵入する外気に対しては、力不足で、有効性に問題を残している。
【０００８】
【特許文献１】特開２０１６−１１４２５５号公報
【特許文献２】特開２００１−８２３９６号公報
【発明の概要】
【発明が解決しようとする課題】
【０００９】
前記文献（１）は、風域の幅を備えるが、前述した如く、風除空間があり、屋内における活用エリアを狭められる虞が有る。また、風除空間に溜まった外気が、屋内に紛れ込むことが考えられる。従って、間接的に、外気の侵入となる。
【００１０】
また、文献（２）は、風域の幅がなく、出入口から侵入する外気を、有効に抑制しつつ、内気の屋外への誘引（屋外に振れること）抑制には、改良の余地が考えられる。即ち、出入口から侵入する外気に対峙できる奥行き幅（屋内外の方向の幅で、換言すると、妻面に対して垂直方向の幅）を確保するには、十分とは考えられない。
【００１１】
そこで、本発明の目的は、風域の幅を確保し、出入口から侵入する外気に対峙可能となることと、妻面方向において、送風機を一列、又は二列として、前記風域の幅を確保すること、等にある。そして、送風機を、少なくとも、一列で複数基縦列することによる妻面の室内空気を、送風機の吸込量、即ち、送風機相互の吸込みに係る干渉を防ぎ、吸込みについての圧力損失を低減する機能を果たし、風量の増加に寄与することと併せて、風域の幅を形成するに必要とする内気を確保できる。
【課題を解決するための手段】
【００１２】
前述の如く、本発明の目的を達成する為に、請求項１〜８を提供する。
【００１３】
請求項１の発明では、車輌が出入りする工場、作業場でなる建屋の出入口に、任意の吸込口と、任意の吹出口とを備えた筒状のケーシング、及び吸込口の開口に設けた羽根車、及び吹出口の開口に設けた整流扇、並びに羽根車可動用のモータを備えた内外空気遮断用の送風機を複数基設け、
出入口の奥行方向に、１ｍ〜２ｍの風の壁（風域）を形成するために、複数基の送風機を、一群とし、出入口の上梁、支持体、構造物（の妻面方向）に一列に設けるか、又は、奥行方向に、一群の複数基の送風機を二列に設けるかの構成であって、
かつ一群の複数基の送風機は、それぞれ独立した形態（各送風機のケーシングが重ならないように取付けること）を確保し、かつ一群の送風機からの吹き下ろし風は、風の壁を形成することを特徴とする建屋の出入口の空気遮断装置である。
【００１４】
従って、請求項１は、風域の幅を確保し、出入口から侵入する外気に対峙可能できることと、妻面方向において、一群の複数基の送風機は一列か、又は二列となり、いっそう、前記風域の幅を確保できること、さらに送風機を、少なくとも、一列で一群の複数基の送風機であり、例えば、妻面の室内空気（内気）の室外への流れをなくし得ることと、送風機の室内空気吸込量の確保、及び／又は、風域の幅を形成するために必要とする内気を確保できること、等の特徴がある。
【００１５】
請求項２の発明は、複数列設ける送風機は、少なくとも、二列に設け、複数基の送風機の吹き下ろし風を、二列に吹き下ろす建屋の出入口の空気遮断装置である。
【００１６】
従って、請求項２は、風域の幅を確保できる特徴とともに、請求項１の特徴を、確実に達成できる。
【００１７】
請求項３の発明は、ケーシングの内周面に吸音材を付設する建屋の出入口の空気遮断装置である。
【００１８】
従って、請求項３は、少なくとも、ケーシング内での騒音を少なくできる特徴と、請求項１の特徴とを達成できる。
【００１９】
請求項４の発明は、ケーシングの内周面と吸音材との間に空気層を形成した建屋の出入口の空気遮断装置である。
【００２０】
従って、請求項４は、ケーシング内での騒音を、従来に比して、さらに少なくできる特徴と、請求項１の特徴とを達成できる。
【００２１】
請求項５の発明は、吸込口の開口に設けた羽根車と、ケーシングの吹出口の開口に設けた整流扇は、それぞれ開口の直近に設ける建屋の出入口の空気遮断装置である。
【００２２】
従って、請求項５は、羽根車の風を、吹出口より、直線的に吹き下ろしできる特徴と、請求項１の特徴とを達成できる。
【００２３】
請求項６の発明は、複数基の各送風機は、それぞれ独立する形態を確保し、かつ隣接する前記各送風機の前記ケーシング間に隙間を有する建屋の出入口の空気遮断装置である。
【００２４】
従って、請求項６は、請求項１の特徴を達成できる。
【００２５】
請求項７の発明は、隙間は、４ｃｍ〜８ｃｍとする建屋の出入口の空気遮断装置である。
【００２６】
従って、請求項７は、請求項１の特徴を達成できることと、そのために最適な、送風機間の隙間を提供できる。
【図面の簡単な説明】
【００２７】
【図１】送風機の一部欠截の拡大断面図
【００２８】
【図２−１】送風機の内周面に設けた吸音手段（吸音材）の第一例を示す要部の拡大断面図
【図２−２】図２−１の吸音材の別の例であり、第二例を示す要部の拡大断面図
【図２−３】送風機の内周面に設けた吸音手段（吸音材とパンチングメタルとの組合せ）の第三例を示す要部の拡大断面図
【図２−４】送風機の内周面に設けた吸音手段（吸音材と金網等の網体との組合せ）の第四例を示す要部の拡大断面図
【図２−５】送風機の内周面に設けた吸音手段（吸音材とケーシングとの組合せで、空間を備えた）の第五例を示す要部の拡大断面図
【図２−６】渦発生防止手段（騒音規制手段）で、整流扇に、切込み（加工）を設けた第六例であり、大小の鋸刃状で、（イ）は小さく、（ロ）は（イ）より大きい形状を示す
【図２−７】他の渦発生防止手段（騒音規制手段）で、羽根車に、切込みを設けた第七例であり、大小の鋸刃状で、（イ）と（ロ）との形状を示す
【図３】図１の仰視図
【図４−１】建屋等の出入口に、例えば、妻面等の構造物、同上梁、同支持体、その他の構造物等に、送風機を一列に設けた（配備した）正面図
【図４−２】建屋等の出入口に、同様に送風機を一列に設けた仰視図
【図４−３】建屋等の出入口に、送風機を一列に設けた側面図
【図４−４】図４−１の例において、送風機の吹出口を、奥行方向（出入口の進行・後退方向）に向って振れている他の使用例の一例を示した正面図
【図５−１】建屋等の出入口に、同様に送風機を二列に設けた（配備した）正面図
【図５−２】建屋等の出入口に、送風機を二列に設けた平面図
【図５−３】建屋等の出入口に、送風機を二列に設けた側面図
【図６−１】建屋等の出入口の上梁に、送風機を、一列又は二列に設けた関係を示した縮尺模式図
【図６−２】送風機からの風が、地面に向かって吹き下ろされる一例を示した実験で会得した状態の模式図
【図７】建屋等の出入口、例えば、妻面等の柱、同構造物、同支持体、その他の構造物に、送風機を、五段に積上げた（配備した）関係を示した縮尺模式図
【図８】建屋の内外での温度差による空気の流れを開示した模式図
【図９】建屋の出入口の上梁に設けた一列の送風機の吹き下ろし風と、外気との関係を示した模式図
【図１０】建屋の出入口の上梁に設けた二列の送風機の吹き下ろし風と、外気との関係を示した模式図であり、建屋と出入口との寸法関係を示す。参考として、送風機の寸法と、人の身長との関係を示す
【図１１】従来のエアーカーテンによる閉塞の良否を検討する模式図
【発明を実施するための形態】
【００２９】
図１〜図３等に示した、好ましい、送風機Ａの一例を説明すると、この送風機Ａの主要部は、任意の形状の筒状を呈する一方開口１００（一方開口１００とは吸込開口を云う）及び他方開口１０１（他方開口１０１とは吹出開口を云う）を上下方向（左右方向等）に有するケーシング１と、ケーシング１の第１内周面１０２に設けた後述する吸音手段２（又は消音手段とか、防振手段等を云う）と、ケーシング１の他方開口１０１の直近に設けた整流扇３と、で構成する。また、ケーシング１の一方開口１００には、羽根車５とモータ６とを備える。そして、整流扇３は、送風機Ａ（羽根車５）の風を整流し、下方、又は遠方等に向って、直線的な流れを形成する。
【００３０】
図２−１〜図２−５に示した吸音手段２の、好ましい、各例を説明すると、図２−１は、送風機Ａの第１内周面１０２（第１、第２「後述する」とは、説明上の区別である。）に設けた吸音材２００による吸音手段２の第一例を示す要部の拡大断面図であり、例えば、ケーシング１の振動防止とか、音の伝わり規制用空気層とか、吸音手段２の肉薄化等に役立て得る。また、例えば、音響エネルギーを熱エネルギーに変換して減衰し、ケーシング１内における騒音の減少化に役立てる。即ち、本発明では、吸音材２００が空気、及び／又は、音の伝播方向（空気伝播方向とする）と直交する位置関係になるため、ケーシング１から風とともに出る空気伝播音を少なくし、周辺に対する騒音の減少化に寄与できる（他の吸音手段２も同じ）。また図２−２は、図２−１の吸音材２００の別の例であり、第二例を示す要部の拡大断面図であり、吸音材２００の第２内周面２００ａに凸部２００ｃを形成し、さらに音響エネルギーを熱エネルギーに変換して減衰し、騒音の減少化に役立てる。また、図２−３は、ケーシング１の第１内周面１０２に、吸音材２００とパンチングメタル２０１との組合せでなる第三例を設けた構成を示す要部の拡大断面図であり、望ましくは、吸音材２００とパンチングメタル２０１との間に隙間Ｓを設けることで、前記騒音の減少化をさらに促進できる。図２−４は、ケーシング１の第１内周面１０２に、吸音材２００と金網等の網体２０２との組合せでなる第四例を設けた構成を示す要部の拡大断面図であり、望ましくは、吸音材２００と網体２０２との間に隙間Ｓを設けることで、前記騒音の減少化をさらに加速できる。尚、吸音材２００は、グラスウール、ロックウール、フェルト等の素材も採用できる。そして、図２−３は、送風機Ａの第１内周面１０２に設けた吸音材２００と、その内側にパンチングメタル２０１とを設けた吸音手段２である。また、図２−４は、送風機Ａの第１内周面１０２に設けた吸音材２００と、その内側に網体２０２（望ましくは、溶接式の金網）とを設けた吸音手段２である。この第三・第四実施例では、吸音材２００が、スポンジ等の樹脂素材においては、例えば、劣化防止（樹脂素材の剛性を高め得る）、剥離防止等に効果が発揮できる。また、第四例の網体２０２では、網体２０２の縦横材の編成とか、網体２０２の縦横材の位置変異（網体２０２を、フラットにした状態での上下関係とか、又はフラット面に対する上下関係とかを云う）により、空気伝播音を少なくすること、及び／又は、騒音の減少化を図ること、或いは振動防止に役立つこと等が考えられる。また、図示しないが、吸音材２００を、パンチングメタル２０１、網体２０２等で押圧することで、吸音材２００を規制し、劣化防止を図ることも可能である。図２−５は、別の送風機Ａ２（送風機Ａ等も同じ）のケーシング１の第１内周面１００と吸音材２００の外周面２００ｂとの間に、ケーシング１の側面方向１０４（径方向に直交する方向）に向かった空気層４（周囲は、原則として、閉塞されている）を形成した第五例の構成を示す要部の拡大断面図である。この第五例では、前記空気層４による音響エネルギー・空気伝播音の減少化が図れる。又は前述の騒音の減少化に役立つと考えられる。
【００３１】
また、図２−６（イ）〜図２−７（ロ）に示した他の吸音手段２の、好ましい、六例と第七例を説明すると、整流扇３と羽根車５とに関する例である。先ず、図２−６（イ）、（ロ）に示した整流扇３では、その一方端３ａ、及び／又は、他方端３ｂ（風の流れ方向においての一方と他方の端を云う）に鋸刃状の切込み３００、３０１を設け、例えば、羽根車５から流れた空気の渦発生を防止する構造である（騒音の低減化を図る意図である）。この構造は、整流扇３の全枚部とか、適宜枚数とかの各例がある。切込み３００等の形状は、限定させず、（イ）の例と、（ロ）の例の如く、（イ）に比し、大きな鋸刃状の切込み３００等とか、当該図で、側面視して、（イ）に図示のフラット態様（ケーシング１の他方開口１０１と同じ面）とか、（ロ）に図示の傾斜態様の如く、自由である。また、この構造によって、例えば、真直ぐな空気の流れを確保できる。そして、図２−７（イ）、（ロ）に示した羽根車５では、その被回転方向端５ａ、及び／又は、回転方向端５ｂに切込み５００、５０１を設け、羽根車５から流れた空気の渦発生を防止に有益と考えられる（騒音の低減化を図る意図である）。また、この構造は、空気抵抗が小さくし、真直ぐな風の流れを確保できると考えられる。尚、図示しないが、羽根車５の表面に、凹凸、又は軸芯方向に向かった凹凸波形等を設けることも可能であり、前述と同効果が期待できる。前記切込み３００、３０１は、双方を示したが、例えば、切込み３００（又は切込み３０１）のみの構造（一方のみの構造を云う）も可能である。一方のみの構造は、切込み５００、５０１も同じである。そして、切込み３００、３０１と、切込み５００、５０１との形状、大小、長さ等は限定されない、
この送風機Ａは、図４−１〜図４−４では、建屋Ｈの上梁Ｈ２（例えば、妻面Ｈ３等の構造物Ｈ４、同上梁Ｈ２、同支持体、その他の構造物、その他の支持物体）に隙間８をもって、一列で、例えば、妻面方向Ｘに６基配備（一群の複数基の送風機Ａ〜Ａｎを、妻面方向Ｘに一列配備）する。また、図５−１〜図５−３では、建屋Ｈの上梁Ｈ２に隙間８をもって、二列で、例えば、妻面方向Ｘ等に６基×２列＝１２基配備（一群の複数基の送風機Ａ〜Ａｎを、奥行方向Ｙに二列配備）する。前記隙間８は、図４−１と、図５−１の如く、送風機Ａと、隣接する送風機Ａ１との間に構成し、送風機Ａと送風機Ａ１（送風機Ａと同じ構造）との吸込空気が重ならないようにし、十分な吸込み量を確保するとともに、送風機Ａ、Ａ１の振動音等の衝突を軽減しつつ、騒音の高まりを回避することにある。尚、図５−１等の二列の例では、二列間（奥行き方向Ｙ）にも隙間１１を形成する。その効果は、前述の説明と同じである。尚、図４−４は、送風機Ａの吹出口（吹出開口）を、交互に奥行方向Ｙ（出入口Ｈ１のリフトの進行Ｈ１−１・後退方向Ｈ１−２）に向って振れている他の使用例であり、前記風域Ｂ、Ｂ１の拡大の一例を示している（他の図参照）。勿論、送風機Ａ等の振れる角度とか、送風機Ａ等の振れる数は限定されない。また、内外風の速度（風速）・方向、又は季節等によって、振れる角度調整は、自由に制御できる。
【００３２】
次に風の流れを説明すると、図１、図６−１において、羽根車５の回転で、一方開口１００（ケーシング１の吸込開口）より、屋内空気（暖冷房空気）を吸込み（図１（イ））、吸込んだ屋内空気は、ケーシング１の空気流路１０３に到る（図１（ロ））。この空気流路１０３を風が流れる際の吸音と制振を図るために、吸音材２００、及び／又は、整流扇３等の付設と、さらに吸音材２とパンチングメタル２０１との組合せ（図２−３）とか、吸音材２００と網体２０２との組合せ（図２−４）構造等の手段が設けられており、複数基の送風機Ａ等から騒音等の衝突を軽減しつつ、騒音の高まりを回避する（図１ハ）参照）。尚、空気流路１０３の風は、他方開口１０１（ケーシング１の出入口Ｈ１より）地面Ｒに向かって吹き下ろされる（図６−１（ニ））。そして、ケーシング１の他方開口１０１に設けた整流扇３で、風を整流し、下方（図６−１等参照）、又は遠方（図７参照）等に向って、直線的な流れを形成する。
【００３３】
図９と図１０に示すように、出入口Ｈ１より吹き下ろされた風、即ち、エアー膜Ｂは、例えば、奥行方向Ｙで、出入口Ｈ１に、１ｍ〜３ｍで、望ましくは、１ｍ〜２ｍの風の壁を形成することが有効であることは、後述する試算の通りである。
【００３４】
また、図７に示した例は、建屋Ｈの出入口Ｈ１、例えば、妻面Ｈ３等の柱、同構造物Ｈ４、同支持体、その他の構造物に、送風機Ａ等を、五段に積上げた関係を示した他の一例で有り、図１に示した送風機Ａを段積みする。羽根車５の風は、妻面方向Ｘに吹出され、横方向のエアー膜Ｂが形成される。即ち、出入口Ｈ１に、１ｍ〜２ｍの風の壁を形成する。その他は、前述の吹き下ろし方式に準ずる。
【００３５】
請求項１は、後述する大型ケーシングを備えた送風機Ｑと同機を採用する。
【００３６】
図８は、建屋Ｈの内外での温度差による空気の流れを開示した模式図であり、
2018096573.tif 000003
【００３７】
尚、一般的に、屋外５℃、屋内１５℃、風力０の状態でシャッターを高さまで開放したと仮定する。すると、図示のように上半分から１５℃の空気が屋外に放出され、下半分に５℃の空気が流れ込む。風速が０の場合は、空気の比重差による流れしか発生しない。５℃と１５℃の空気の比重差は約４４ｇ／ｍ３である。また、フォークリフト（リフトとする）が通過するときに、リフト周辺の空気を巻き込む量の方が圧倒的に多いと考えられる。このような条件設定も、正確には、必要とされる。
【００３８】
そして、本出願人が提案する、大型ケーシングを備えた送風機Ｑ１として、商品名、ビッグファン（送風機Ｑとする）の性能緒元から送風機Ｑの出口の流速Ｖ１を計算すると、
2018096573.tif 000004
この送風機Ｑの出口の流速は９．１５ｍ／ｓとなる。
【００３９】
この送風機Ｑから吹き下ろす風が、どの程度の風速に耐えるか、即ち、地面Ｒより５ｍの処に取付けた送風機Ｑの風速を計算した結果を示している。
【００４０】
図９は、建屋Ｈの出入口Ｈ１の上梁Ｈ２に設けた一列の送風機Ｑの吹き下ろし風と、外気との関係を示した模式図であり、条件は、図示せず、風速６ｍ／ｓで約３３°〜３８．６°、一部図示せず、風速１０ｍ／ｓで４７°〜５３°位流されるので、１台では難しいと思われる。真下に吹き出せば４５°としても、奥行方向Ｙのエアー膜Ｂの幅は、少なくとも、１〜２ｍ必要である。
【００４１】
図１０は、建屋Ｈの出入口Ｈ１の上梁Ｈ２に設けた二列の送風機Ｑと同機送風機Ｑ１の吹き下ろし風と、外気との関係を示した模式図であり、条件は、例えば、原則として、風除空間（エアー膜Ｂとエアー膜Ｂ１との間に緩衝空間）を設けることなく、１台目の送風機Ｑは、図示のように、鉛直下方への風の流れを基準に１８．５°、２台目の送風機Ｑ１は、同３５°〜４０°位で設置すれば風速６〜１０ｍ／ｓでも外気を遮断できるとの知見を得た。その他は、前述の例に準ずる。
【００４２】
図中１２は、ケーシング１の一面側に設けた、上梁Ｈ２、構造物等に取付ける、例えば、方形状、環状形状の枠体である。
【００４３】
前述した各構造は、本発明の好ましい一例の説明である。従って、本発明は前述した各実施例に限定されるものではなく、発明の趣旨の範囲において構成の一部を変更する構造とか、同じ特徴と効果を達成できる構造、等は、本発明の範曙である。
【符号の説明】
【００４４】
１  ケーシング
１００  一方開口
１０１  他方開口
１０２  第１内周面
１０３  空気流路
１０４  側面方向
２  吸音手段
２００  吸音材
２００ａ  第２内周面
２００ｂ  外周面
２００ｃ  凸部
２０１  パンチングメタル
２０２  網体
３  整流扇
３ａ  一方端
３ｂ  他方端
３００  切込み
３０１  切込み
４  空気層
５  羽根車
５ａ  被回転方向端
５ｂ  回転方向端
５００  切込み
５０１  切込み
６  モータ
８  隙間
１１  隙間
１２  枠体
Ａ  送風機
Ａ１  送風機
Ａ２  別の送風機
Ａｎ  送風機
Ｂ  エアー膜（風域）
Ｂ１  エアー膜（風域）
Ｈ  建屋
Ｈ１  出入口
Ｈ２  上梁
Ｈ３  妻面
Ｈ４  構造物
Ｑ  送風機
Ｑ１  送風機
Ｒ  地面
Ｓ  隙間
Ｘ  妻面方向
Ｙ  奥行方向
【図１】
2018096573.tif 000005
【図２−１】
2018096573.tif 000006
【図２−２】
2018096573.tif 000007
【図２−３】
2018096573.tif 000008
【図２−４】
2018096573.tif 000009
【図２−５】
2018096573.tif 000010
【図２−６】
2018096573.tif 000011
【図２−７】
2018096573.tif 000012
【図３】
2018096573.tif 000013
【図４−１】
2018096573.tif 000014
【図４−２】
2018096573.tif 000015
【図４−３】
2018096573.tif 000016
【図４−４】
2018096573.tif 000017
【図５−１】
2018096573.tif 000018
【図５−２】
2018096573.tif 000019
【図５−３】
2018096573.tif 000020
【図６−１】
2018096573.tif 000021
【図６−２】
2018096573.tif 000022
【図７】
2018096573.tif 000023
【図８】
2018096573.tif 000024
【図９】
2018096573.tif 000025
【図１０】
2018096573.tif 000026
【図１１】
2018096573.tif 000027